(57)【要約】【課題】複数人による支払を支援することが可能な会計支援方法を提供する。【解決手段】注文品に関する情報の入力を受け付ける処理Ｓ１０１、注文品の注文者の人数を取得する処理Ｓ１０３、受け付けた情報に基づいて得られる品名が示されたリストと、取得した注文者の人数分の領域を表示する処理Ｓ１０２，Ｓ１０６、リストから品名を指定する第１の操作と、第１の操作により指定された品名を領域のいずれかに割り当てる第２の操作を受け付ける処理Ｓ１０７，Ｓ１１０、第２の操作により品名が割り当てられた領域のそれぞれに、割り当てられた品名と、割り当てられた品名に応じた金額の合計値と、の少なくともいずれかを表示する処理Ｓ１１２，Ｓ１１５をコンピュータが実行する。【選択図】図７
2016164749.tif 000002
【特許請求の範囲】
【請求項１】
注文品に関する情報の入力を受け付け、
前記注文品の注文者の人数を取得し、
受け付けた前記情報に基づいて得られる品名が示されたリストと、取得した前記注文者の人数分の領域とを表示し、
前記リストから品名を指定する第１の操作と、前記第１の操作により指定された品名を前記領域のいずれかに割り当てる第２の操作を受け付け、
前記第２の操作により品名が割り当てられた領域のそれぞれに、割り当てられた品名と、割り当てられた品名に応じた金額の合計値と、の少なくともいずれかを表示する、
処理をコンピュータが実行する会計支援方法。
【請求項２】
前記注文者の人数分の領域の内、少なくとも２つ以上の領域を同時に表示する、
請求項１に記載の会計支援方法。
【請求項３】
撮像装置により撮像された特定範囲の撮像画像を取得し、
取得した前記撮像画像を解析して、前記特定範囲に含まれる人物の人数を特定し、
特定した前記人物の人数を、前記注文者の人数に設定する、
請求項１又は２に記載の会計支援方法。
【請求項４】
投影装置により前記リストと前記領域を投影する、
請求項１から３のいずれか１項に記載の会計支援方法。
【請求項５】
前記品名を含む領域に対する指定範囲の割合に基づき、前記注文者のいずれかに割り当てる金額を決定し、
決定した前記金額を、前記指定範囲を指定した注文者の領域に前記第２の操作により表示する、
請求項１から４のいずれか１項に記載の会計支援方法。
【請求項６】
前記領域に表示された品名を、前記リスト又は別の領域に移動する第３の操作を受け付ける、
請求項１から５のいずれか１項に記載の会計支援方法。
【請求項７】
注文品に関する情報の入力を受け付け、
前記注文品の注文者の人数を取得し、
受け付けた前記情報に基づいて得られる品名が示されたリストと、取得した前記注文者の人数分の領域とを表示し、
前記リストから品名を指定する第１の操作と、前記第１の操作により指定された品名を前記領域のいずれかに割り当てる第２の操作を受け付け、
前記第２の操作により品名が割り当てられた領域のそれぞれに、割り当てられた品名と、割り当てられた品名に応じた金額の合計値と、の少なくともいずれかを表示する、
処理をコンピュータに実行させる会計支援プログラム。
【請求項８】
注文品に関する情報の入力を受け付ける第１受付部と、
前記注文品の注文者の人数を取得する取得部と、
受け付けた前記情報に基づいて得られる品名が示されたリストと、取得した前記注文者の人数分の領域と、を表示する第１表示部と、
前記リストから品名を指定する第１の操作と、前記第１の操作により指定された品名を前記領域のいずれかに割り当てる第２の操作とを受け付ける第２受付部と、
前記第２の操作により品名が割り当てられた領域のそれぞれに、割り当てられた品名と、割り当てられた品名に応じた金額の合計値と、の少なくともいずれかを表示する第２表示部と、
を備える会計支援装置。
【発明の詳細な説明】
【技術分野】
【０００１】
本件は、会計支援方法、会計支援プログラム、及び会計支援装置に関する。
【背景技術】
【０００２】
例えば飲食店において複数人で飲食を行った場合、割り勘により支払いを行うことがある。割り勘には、例えば請求額を均等に複数人に分割して支払う割り勘が知られているが（例えば特許文献１参照）、各自の飲食分に大きな差がある場合には、飲食が少ない者にとっては不公平感がある。このため、請求額を各自の注文品に応じて分割して支払うこともある。
【０００３】
割り勘による支払いを速やかに行えるコンピュータシステムも提案されている。例えば、飲食途中に人数変更があった場合にも、その人数時の追加注文時に応じた正確な割り勘金額をレシートに印字することで、割り勘による精算を速やかに行う割り勘金額提示システムが知られている（例えば特許文献２参照）。
【先行技術文献】
【特許文献】
【０００４】
【特許文献１】特開平５−１５１４５６号公報
【特許文献２】特開２００５−１６５７５６号公報
【発明の概要】
【発明が解決しようとする課題】
【０００５】
ところで、割り勘により支払いを行う場合、会計カウンターで各自が支払う金額を電卓などで計算して個別に支払いを済ませたり、店員に各自の注文品を伝えて個別の請求額を出してもらったりすることがある。しかしながら、このような割り勘では支払いに多大な時間がかかる。
【０００６】
そこで、１つの側面では、複数人による支払いを支援する会計支援方法、会計支援プログラム、及び会計支援装置を提供することを目的とする。
【課題を解決するための手段】
【０００７】
本明細書に開示の会計支援方法は、注文品に関する情報の入力を受け付け、前記注文品の注文者の人数を取得し、受け付けた前記情報に基づいて得られる品名が示されたリストと、取得した前記注文者の人数分の領域とを表示し、前記リストから品名を指定する第１の操作と、前記第１の操作により指定された品名を前記領域のいずれかに割り当てる第２の操作を受け付け、前記第２の操作により品名が割り当てられた領域のそれぞれに、割り当てられた品名と、割り当てられた品名に応じた金額の合計値と、の少なくともいずれかを表示する、処理をコンピュータが実行する会計支援方法である。
【０００８】
本明細書に開示の会計支援プログラムは、注文品に関する情報の入力を受け付け、前記注文品の注文者の人数を取得し、受け付けた前記情報に基づいて得られる品名が示されたリストと、取得した前記注文者の人数分の領域とを表示し、前記リストから品名を指定する第１の操作と、前記第１の操作により指定された品名を前記領域のいずれかに割り当てる第２の操作を受け付け、前記第２の操作により品名が割り当てられた領域のそれぞれに、割り当てられた品名と、割り当てられた品名に応じた金額の合計値と、の少なくともいずれかを表示する、処理をコンピュータに実行させる会計支援プログラムである。
【０００９】
本明細書に開示の会計支援装置は、注文品に関する情報の入力を受け付ける第１受付部と、前記注文品の注文者の人数を取得する取得部と、受け付けた前記情報に基づいて得られる品名が示されたリストと、取得した前記注文者の人数分の領域と、を表示する第１表示部と、前記リストから品名を指定する第１の操作と、前記第１の操作により指定された品名を前記領域のいずれかに割り当てる第２の操作とを受け付ける第２受付部と、前記第２の操作により品名が割り当てられた領域のそれぞれに、割り当てられた品名と、割り当てられた品名に応じた金額の合計値と、の少なくともいずれかを表示する第２表示部と、を備える会計支援装置である。
【発明の効果】
【００１０】
本明細書に開示の会計支援方法、会計支援プログラム、及び会計支援装置によれば、複数人による支払いを支援することができる。
【図面の簡単な説明】
【００１１】
【図１】図１は、会計支援システムの一例を説明するための図である。
【図２】図２は、手指による操作の一例を説明するための図である。
【図３】図３は、会計支援装置のハードウェア構成の一例である。
【図４】図４は、会計支援装置のブロック図の一例である。
【図５】図５（ａ）は、メニューテーブルの一例である。図５（ｂ）は、会計テーブルの一例である。
【図６】図６は、静脈認証の一例を説明するための図である。
【図７】図７は、会計支援装置の動作の一例を示すフローチャートである。
【図８】図８は、操作の一例を説明するための図である。
【図９】図９は、操作の一例を説明するための図である。
【図１０】図１０は、操作の一例を説明するための図である。
【図１１】図１１は、操作の一例を説明するための図である。
【図１２】図１２は、操作の一例を説明するための図である。
【図１３】図１３は、割り勘を終えた割勘エリアの表示例である。
【図１４】図１４（ａ）は、指定範囲割合判別処理の一例を示すフローチャートである。図１４（ｂ）は、指定範囲割合判別処理の別の一例を示すフローチャートである。
【図１５】図１５は、品名・金額入力処理の一例を示すフローチャートである。
【図１６】図１６は、精算確認処理の一例を示すフローチャートである。
【図１７】図１７は、タブレット端末とタブレット端末に対する操作の一例を説明するための図である。
【図１８】図１８は、タブレット端末に対する操作の他の一例を説明するための図である。
【図１９】図１９は、タブレット端末に対する操作の他の一例を説明するための図である。
【図２０】図２０は、ＰＯＳ端末とＰＯＳ端末に対する操作の一例を説明するための図である。
【図２１】図２１は、ＰＯＳ端末に対する操作の他の一例を説明するための図である。
【図２２】図２２は、ＰＯＳ端末に対する操作の他の一例を説明するための図である。
【図２３】図２３は、ＰＯＳ端末に対する操作の他の一例を説明するための図である。
【発明を実施するための形態】
【００１２】
以下、本件を実施するための形態について図面を参照して説明する。
【００１３】
図１は、会計支援システムＳの一例を説明するための図である。
会計支援システムＳは、投影部１００、第１撮像部２００、第２撮像部３００、会計支援装置４００及び静脈認証センサ５００を含んでいる。会計支援装置４００は、投影部１００、第１撮像部２００、第２撮像部３００、静脈認証センサ５００と有線または無線を介して通信可能に接続される。なお、会計支援装置４００は、図示しない通信部を有しており、通信回線を介して様々な外部装置と双方向にデータの送受信を行うことによりネットワークリソースを用いることが可能である。更に、投影部１００は、必要に応じて会計支援システムＳに含まれれば良く、必ずしも必要な構成要素ではない。図１に示すように、投影部１００、第１撮像部２００及び第２撮像部３００は、例えば投影面１０の上方に、鉛直下向きの方向で設置される。投影面１０としては、例えば、カウンター、台、机といった各種作業を行うための作業面がある。
【００１４】
投影部１００は、投影面１０上に対象物ＯＢの画像を投影する。例えば、投影面１０に対象物ＯＢとして飲食店の伝票が置かれると、第１撮像部２００及び第２撮像部３００は伝票を撮像し、投影部１００は撮像された撮像画像に基づいて伝票の画像を投影する。このような投影手法は、例えばAugmented Reality（ＡＲ：拡張現実）と呼ばれる。尚、以下では、伝票の画像を注文リストと呼ぶ。注文リストの詳細は後述する図８（ａ）を参照して説明する。さらに、飲食店の店員や顧客（例えば料理や飲み物を注文した注文者）を含むユーザが任意の方向から手指ＦＧを注文リストに提示すると、投影された注文リストに対してインタラクション操作が行われ、注文リストと重ならない付近に注文品の品名を割り当てるための画像が投影される。以下では、当該画像を割勘エリアと呼ぶ。割勘エリアの詳細は後述する図８（ｂ）を参照して説明する。投影部１００としては、例えばプロジェクタといった画像を表示するデバイスがある。尚、飲食店は一例であり、割り勘が発生し得る店であれば飲食店に限定されない。
【００１５】
第１撮像部２００及び第２撮像部３００は、内部パラメータが等しく既知であり、互いの光軸が平行で、かつ、第１撮像部２００及び第２撮像部３００が撮像する複数の画像中の任意の横軸が同一直線状上になる様に配置される、いわゆる平行ステレオの配置となる。第１撮像部２００は、第１の視野Ｖ１の範囲内に含まれる領域の第１画像を撮像する。第２撮像部３００は、第２の視野Ｖ２の範囲内に含まれる領域の第２画像を撮像する。したがって、第１画像及び第２画像にはそれぞれ、対象物ＯＢを含む投影面１０が含まれる。特に、投影面１０上に注文リストが投影されていたり、投影面１０に手指ＦＧが含まれていたりする場合には、第１画像及び第２画像にはそれぞれ注文リストや手指ＦＧの画像が含まれる。第１撮像部２００及び第２撮像部３００により、第１画像と第２画像の色情報、ならびに対象物ＯＢの深度、手指ＦＧの深度などの情報を含む画像が撮像される。尚、第１撮像部２００及び第２撮像部３００としては、例えば、Charge Coupled Device（ＣＣＤ）カメラやComplementary Metal Oxide Semiconductor（ＣＭＯＳ）カメラといった撮像デバイス（例えばビデオカメラ）がある。また、平行ステレオは、位置関係が既知かつ平行な２台のカメラによる撮像画像から同一の対象物が撮影された画素の位置ずれ（視差）を利用して、三角測量の原理により任意の基準点から対象物までの距離を算出する手法である。
【００１６】
会計支援装置４００は、第１撮像部２００及び第２撮像部３００により異なる光軸で撮像された第１画像及び第２画像や、静脈認証センサ５００により特定されたユーザの人数を取得し、後述する各種の処理を行って投影部１００の動作を制御する。例えば、取得した第１画像及び第２画像に伝票が含まれていれば、会計支援装置４００は投影部１００に注文リストを投影させる。また、会計支援装置４００は、取得した第１画像及び第２画像に注文リストとユーザの手指ＦＧが含まれていれば、世界座標系（３次元上）における手指ＦＧの位置を算出する。会計支援装置４００は、算出した位置が注文リスト上の所定領域に含まれていた場合、取得した人数分の割勘エリアを同時に投影部１００に投影させる。ここで、会計支援システムＳにおける会計支援装置４００の配置位置は自由に設定することが可能である。例えば、会計支援装置４００は投影部１００と同じ位置に配置されていてもよい。尚、会計支援装置４００の機能の詳細については後述する。
【００１７】
ところで、図１に示す会計支援システムＳの構成時点で、第１撮像部２００と第２撮像部３００の座標系と投影部１００の世界座標系における位置合わせ（キャリブレーション）は、予め実施されているものとする。また、会計支援装置４００に使用開始後に、第１撮像部２００と第２撮像部３００と投影部１００の位置関係を変化させる場合は、キャリブレーションを、少なくとも一回実行すれば良い。ここで、具体的なキャリブレーションの方法の一例として、投影部１００が投影する任意の投影画像を、第１撮像部２００と第２撮像部３００で撮像することで、会計支援装置４００内部でキャリブレーションを実行する方法を説明する。なお、当該方法においては、第１撮像部２００と第２撮像部３００のそれぞれについて、予めキャリブレーションが実行されているものとする。
【００１８】
先ず、投影部１００は、世界座標系において、ある任意の座標値（ｘｐ、ｙｐ）に対して任意のマーカを投影する。当該マーカは、周囲の背景と区別しやすいような任意の色や形状を用いることが可能である。そして、第１撮像部２００と第２撮像部３００は、所定の投影面１０に投影されたマーカを撮像する。続いて、会計支援装置４００は、マーカを公知の任意の画像処理によって認識する。例えば、会計支援装置４００は、投影部１００がマーカとして円形の模様を投影した場合、例えば、「Kimmeら、“Finding circles by an array of accumulators”, Communications of the Association for Computing Machinery, #18, pp.120-122, 1975.」に開示される、ハフ円変換により円形状を認識することが出来る。ここで、会計支援装置４００がマーカを認識した際の座標値を（ｘｉ、ｙｉ）とする。会計支援装置４００は、上述の処理を、任意の場所で４点分繰り返す。会計支援装置４００は、当該処理で得られた（ｘｐ、ｙｐ）に対応する（ｘｉ、ｙｉ）の組の４組から、３行３列のホモグラフィ行列Ｈの各成分を、８次元連立一次方程式を用いて算出する。なお、ホモグラフィとは、三次元空間上のある平面から別の平面への射影変換を表す行列である。本実施形態においては、会計支援装置４００は、第１撮像部２００と第２撮像部３００の座標平面と投影部１００の投影部座標平面との対応付けを求める。会計支援装置４００は、算出したホモグラフィ行列を、例えば、図示しないキャッシュまたはメモリに保存しておくことで、画像の投影時においてホモグラフィ行列を利用することが出来る。
【００１９】
図２は、手指ＦＧによる操作の一例を説明するための図である。
図２（ａ）に示す通り、ユーザは対象物ＯＢの画像ＩＭを手指ＦＧで触れ（触れた時刻を時刻ｔ１とする）、手指ＦＧを時刻ｔ２の位置まで手指ＦＧをスライドさせ、又は手指ＦＧを時刻ｔ２の位置までなぞり、その後手指ＦＧを対象物ＯＢの画像ＩＭから離脱させる。時刻ｔ１における手指ＦＧの位置から時刻ｔ２における手指ＦＧの位置に基づいた線分を対角線とする矩形領域２０が指定領域として決定され、図２（ｂ）に示される様な指定領域２０の画像がスキャン画像として、会計支援装置４００に記憶される。なお、対象物ＯＢの画像ＩＭに対する手指ＦＧの接触と離脱は、算出される手指の深度に基づいて判定することが出来る。例えば、第１撮像部２００及び第２撮像部３００の座標系における手指ＦＧの位置は、第１画像と第２画像で、対象物ＯＢの画像ＩＭ上の異なる位置に写っており、当該位置より規定される視差に基づいて二眼ステレオ法で指先の深度が算出される。このように算出された手指の深度に基づいて、手指ＦＧの接触と離脱を判定することが出来る。
【００２０】
続いて、図３を参照して、会計支援装置４００のハードウェア構成について説明する。
【００２１】
図３は、会計支援装置４００のハードウェア構成の一例である。
図３に示すように、会計支援装置４００は、少なくともCentral Processing Unit（ＣＰＵ）４００Ａ、Random Access Memory（ＲＡＭ）４００Ｂ、Read Only Memory（ＲＯＭ）４００Ｃ及びネットワークＩ／Ｆ（インタフェース）４００Ｄを含んでいる。後述するタブレット端末及びＰＯＳ端末も基本的に同様の構成を有する。会計支援装置４００は、必要に応じて、Hard Disk Drive（ＨＤＤ）４００Ｅ、入力Ｉ／Ｆ４００Ｆ、出力Ｉ／Ｆ４００Ｇ、入出力Ｉ／Ｆ４００Ｈ、ドライブ装置４００Ｉの少なくとも１つを含んでいてもよい。ＣＰＵ４００Ａ・・・ドライブ装置４００Ｉは、内部バス４００Ｊによって互いに接続されている。少なくともＣＰＵ４００ＡとＲＡＭ４００Ｂとが協働することによってコンピュータが実現される。
【００２２】
入力Ｉ／Ｆ４００Ｆには、入力装置８１０が接続される。入力装置８１０としては、例えばキーボードやマウスなどがある。第１撮像部２００、第２撮像部３００及び静脈認証センサ５００も入力装置８１０に含まれる。
出力Ｉ／Ｆ４００Ｇには、表示装置８２０が接続される。表示装置８２０としては、例えば液晶ディスプレイがある。投影部１００も表示装置８２０に含まれる。
入出力Ｉ／Ｆ４００Ｈには、半導体メモリ８３０が接続される。半導体メモリ８３０としては、例えばUniversal Serial Bus（ＵＳＢ）メモリやフラッシュメモリなどがある。入出力Ｉ／Ｆ４００Ｈは、半導体メモリ８３０に記憶されたプログラムやデータを読み取る。
入力Ｉ／Ｆ４００Ｆ及び入出力Ｉ／Ｆ４００Ｈは、例えばＵＳＢポートを備えている。出力Ｉ／Ｆ４００Ｇは、例えばディスプレイポートを備えている。
【００２３】
ドライブ装置４００Ｉには、可搬型記録媒体８４０が挿入される。可搬型記録媒体８４０としては、例えばCompact Disc（ＣＤ）−ＲＯＭ、Digital Versatile Disc（ＤＶＤ）といったリムーバブルディスクがある。ドライブ装置４００Ｉは、可搬型記録媒体８４０に記録されたプログラムやデータを読み込む。
ネットワークＩ／Ｆ４００Ｄは、例えばポートとPhysical Layer Chip（ＰＨＹチップ）とを備えている。会計支援装置４００は、ネットワークＩ／Ｆ４００Ｄを介してネットワークと接続される。
【００２４】
上述したＲＡＭ４００Ｂには、ＲＯＭ４００ＣやＨＤＤ４００Ｅに記憶されたプログラムがＣＰＵ４００Ａによって格納される。ＲＡＭ４００Ｂには、可搬型記録媒体８４０に記録されたプログラムがＣＰＵ４００Ａによって格納される。格納されたプログラムをＣＰＵ４００Ａが実行することにより、後述する各種の機能が実現され、また、各種の動作が実行される。尚、プログラムは後述するフローチャートに応じたものとすればよい。
【００２５】
続いて、図４乃至図６を参照して、会計支援装置４００の詳細について説明する。
【００２６】
図４は、会計支援装置４００のブロック図の一例である。図５（ａ）は、メニューテーブルの一例である。図５（ｂ）は、会計テーブルの一例である。図６は、静脈認証の一例を説明するための図である。会計支援装置４００は、図４に示すように、メニューテーブル記憶部４１０、会計テーブル記憶部４２０、第１受付部４３０、取得部４４０、第１表示部４５０、第２受付部４６０及び第２表示部４７０を含んでいる。
【００２７】
メニューテーブル記憶部４１０は、飲食店で提供される料理や飲み物といった商品の品名とその価格に関する情報を予め記憶する。具体的には、図５（ａ）に示すように、メニューテーブル記憶部４１０は、メニューテーブル３０を記憶している。メニューテーブル３０は、商品の名称を表す品名とその品名の価格（より詳しくは単価）を表す金額を構成要素としている。
【００２８】
会計テーブル記憶部４２０は、顧客が注文した注文品に関する注文品情報と注文品に費やした金額に関する情報をユーザ毎に記憶する。具体的には、図５（ｂ）に示すように、会計テーブル記憶部４２０は、注文者ＩＤ毎に複数の会計テーブル４０を記憶している。各会計テーブル４０は、注文者ＩＤ、表示名、注文品名、金額、数量、小計及び合計金額を構成要素としている。注文者ＩＤは、注文者を識別する識別情報である。注文者ＩＤは、注文者が行った静脈認証に基づいて割り当てられる。表示名は、注文者ＩＤ毎に付与される任意の名前である。例えば注文者に注文者ＩＤが割り当てられる度に、順にＡさん、Ｂさん、Ｃさんなどと注文者ＩＤに関連付けられる。割勘エリアが投影面１０に投影される際には注文者ＩＤに代えて表示名が投影される。注文品名は注文者が注文した商品の品名を表している。金額は個々の商品の単価を表している。数量は注文者がその商品を注文した数量を表している。小計は金額に数量を乗じた金額を表しており、合計金額は小計の総和を表している。詳細は後述するが、会計テーブル４０は、静脈認証センサで特定した注文者の人数分生成され、注文リストに示された商品が割勘エリアに割りあてられる度に会計テーブル４０に商品と金額が入力される。
【００２９】
第１受付部４３０は、第１撮像部２００及び第２撮像部３００から注文品に関する注文品情報の入力を受け付ける。例えば、商品の注文者が投影面１０に対象物ＯＢとして伝票を置くと、第１撮像部２００及び第２撮像部３００が伝票を撮像する。第１受付部４３０は、第１撮像部２００及び第２撮像部３００から撮像画像を受け付ける。第１受付部４３０は、撮像画像に含まれる伝票に基づいて、注文品情報の入力を受け付ける。
【００３０】
取得部４４０は、静脈認証センサ５００から注文品の注文者の人数を取得する。ここで、静脈認証センサ５００は、手のひらの静脈を認証するセンサである。図６（ａ）及び（ｂ）に示すように、静脈認証センサ５００の上に注文者が手をかざすと、静脈認証センサ５００は静脈の特徴を表す特徴情報を抽出し、識別情報を生成して保持する。保持した識別情報が注文者ＩＤになる。静脈認証センサ５００の上で異なる注文者の手がかざされる度に静脈認証センサ５００は異なる識別情報を生成して保持する。このため、取得部４４０は静脈認証センサ５００が保持する識別情報の数を注文者の人数として識別情報とともに取得する。
【００３１】
第１表示部４５０は、第１受付部４３０が受け付けた注文品情報に基づいて得られる品名が示された注文リストと、取得部４４０が取得した注文者の人数分の割勘エリアとを、投影部１００を通じて表示する。すなわち、注文リストと割勘エリアは投影部１００によって投影面１０に投影される。特に、第１表示部４５０は、少なくとも２つ以上の割勘エリアを同時に表示する。これにより、注文者間で注文品を比較することができる。尚、取得部４４０が取得した注文者の人数に代えて、第１受付部４３０が第１撮像部２００及び第２撮像部３００により撮像された特定範囲の撮像画像に基づいて注文者の人数を特定し、特定した人数を注文者の人数として利用するようにしてもよい。例えば、第１表示部４５０は第１撮像部２００及び第２撮像部３００から撮像画像を取得して解析し、注文者の複数の頭部や右手又は左手が含まれていれば、頭部や右手又は左手の数を注文者の人数と特定してもよい。
【００３２】
第２受付部４６０は、第１撮像部２００及び第２撮像部３００から撮像画像を取得し、注文リストに示された品名を手指ＦＧで指定する第１の操作を受け付ける。以下、第１の操作を指定操作と呼ぶ。また、第２受付部４６０は、第１の操作により指定された品名を手指ＦＧで指定した状態で注文リストから割勘エリアのいずれかに投影面１０上をスライドさせながら割り当てる第２の操作を受け付ける。以下、第２の操作をハジキ操作と呼ぶ。
【００３３】
第２表示部４７０は、指定操作により指定された品名と該品名に対応する金額を合計した合計金額を、ハジキ操作により指定された割勘エリアに投影部１００を通じて表示する。すなわち、合計金額は投影部１００によって割勘エリアに投影される。より詳しく説明すると、第２表示部４７０は、第２受付部４６０がハジキ操作を受け付ける度に、ハジキ操作の対象となった品名に基づいて、メニューテーブル記憶部４１０から品名に対応する金額を取得する。そして、第２表示部４７０は、品名と金額を会計テーブル記憶部４２０に記憶された会計テーブル４０に入力する。第２表示部４７０は、品名と金額が入力される度に合計金額を算出して、会計テーブル４０の該当覧に入力する。第２表示部４７０は、会計テーブル４０で算出された合計金額を取得して、割勘エリアに投影部１００を通じて表示する。
【００３４】
続いて、図７乃至図１３を参照して、上述した会計支援装置４００の動作について説明する。
【００３５】
図７は、会計支援装置４００の動作の一例を示すフローチャートである。図８乃至図１２は、操作の一例を説明するための図である。図１３は、割り勘を終えた割勘エリアの表示例である。
まず、図７に示すように、第１受付部４３０は、注文品情報の入力を受け付ける（ステップＳ１０１）。第１受付部４３０が注文品情報の入力を受け付けると、次いで、第１表示部４５０は、投影部１００を通じて注文リストを表示する（ステップＳ１０２）。この結果、図８（ａ）に示すように、伝票を画像として表した注文リストＬＳが投影面１０に表示される。投影面１０に注文リストＬＳが表示されると、各注文者は静脈認証センサ５００に順に手をかざす。これにより、静脈認証センサ５００により静脈認証が行われて各注文者の識別情報が生成される。
【００３６】
次いで、取得部４４０は、静脈認証センサ５００で生成された識別情報の数を注文者の数として取得する（ステップＳ１０３）。尚、ステップＳ１０３の処理とステップＳ１０２の処理の順序は逆であってもよい。ステップＳ１０３の処理が完了すると、第１表示部４５０は、取得した人数分の会計テーブル４０を生成する（ステップＳ１０４）。第１表示部４５０は、生成した会計テーブルを会計テーブル記憶部４２０に格納する。ここで、第１受付部４３０は、割り勘を開始する操作を受け付けるまで待機を続ける（ステップＳ１０５：ＮＯ）。第１受付部４３０は、割り勘を開始する操作を受け付けと判断した場合（ステップＳ１０５：ＹＥＳ）、第１表示部４５０が人数分の割勘エリアを表示する（ステップＳ１０６）。
【００３７】
具体的には、図８（ｂ）に示すように、注文リストＬＳの右下に表示されたボタン「割」が手指ＦＧにより円を描くように指定されると、第１撮像部２００及び第２撮像部３００がこの様子を撮像し、第１受付部４３０が撮像画像に基づいて、割り勘を開始する操作を受け付けと判断する。第１表示部４５０は、第１受付部４３０の判断結果に基づいて、取得部４４０が取得した人数分の割勘エリアを表示する。例えば、取得部４４０が取得した注文者の数が３人である場合、図８（ｂ）に示すように、３人分の割勘エリアＡＲ１〜ＡＲ３が投影面１０に同時に表示される。
【００３８】
その後、第２受付部４６０は、指定操作を受け付けるまで待機を続ける（ステップＳ１０７：ＮＯ）。第２受付部４６０は、指定操作を受け付けたと判断した場合（ステップＳ１０７：ＹＥＳ）、さらに、指定された品名の一部を指定する一部指定の操作を受け付けたか否か判断する（ステップＳ１０８）。第２受付部４６０は、一部指定の操作を受け付けたと判断した場合（ステップＳ１０８：ＹＥＳ）、第２表示部４７０は、指定範囲割合判別処理を実行する（ステップＳ１０９）。詳細は後述するが、指定範囲割合判別処理は一部指定された品名の指定範囲の割合を判別する処理である。ステップＳ１０９の処理が完了すると、次いで、第２受付部４６０は、ハジキ操作を受け付けるまで待機を続ける（ステップＳ１１０：ＮＯ）。一方、第２受付部４６０は、一部指定を受け付けなかったと判断した場合（ステップＳ１０８：ＮＯ）、すなわち、品名の全部を指定する操作を受け付けたと判断した場合、ステップＳ１０９の処理をスキップし、ステップＳ１１０の処理により、ハジキ操作を受け付けるまで待機を続ける。
【００３９】
例えば、図９（ａ）に示すように、注文リストＬＳに示された品名「から揚げ」に対し手指ＦＧにより指定操作がなされた直後に、図９（ｂ）に示すように、ハジキ操作がなされた場合、第２受付部４６０は、ハジキ操作を受け付けたと判断する。すなわち、図９（ａ）及び（ｂ）では、指定操作がなされた後、指定された品名「から揚げ」の一部を指定する一部指定の操作がなされずに、ハジキ操作がなされている。
【００４０】
第２表示部４７０は、ハジキ操作を受け付けたと判断した場合（ステップＳ１１０：ＹＥＳ）、品名・金額入力処理を実行する（ステップＳ１１１）。詳細は後述するが、品名・金額入力処理はハジキ操作の対象となった品名及びその品名に割り当てられた金額を会計テーブルに入力する処理である。第２表示部４７０は、ステップＳ１１１の処理が完了すると、ハジキ操作により指定された品名を、投影部１００を通じて表示する（ステップＳ１１２）。これにより、図９（ｃ）に示すように、ハジキ操作の対象となった品名「から揚げ」は、割勘エリアＡＲ１に表示される。
【００４１】
ここで、第２受付部４６０は、計算を開始する操作を受け付けたか否かを判断する（ステップＳ１１３）。例えば、図９（ｃ）に示される割勘エリアＡＲ１の右下にあるボタン「計」が手指ＦＧにより指定された場合、第２受付部４６０は、計算を開始する操作を受け付けたと判断する（ステップＳ１１３：ＹＥＳ）。一方、第２受付部４６０は、計算を開始する操作を受け付けなかった場合（ステップＳ１１３：ＮＯ）、注文者が交代せずに指定操作やハジキ操作などを行うことで、第２受付部４６０や第２表示部４７０は、ステップＳ１０７からステップＳ１１３までの処理を繰り返す。
【００４２】
この結果、第２受付部４６０が指定操作を受け付けたと判断し、一部指定を受け付けずに、ハジキ操作を受け付けた場合、割勘エリアＡＲ１には注文リストＬＳに示された品名のうち、ハジキ操作の対象となった品名が新たに割り当てられる。すなわち、一部指定を行わずに、指定操作とハジキ操作とを繰り返すことにより、割勘エリアＡＲ１にはハジキ操作の対象となった品名が次々と割り当てられる。例えば、図１０（ａ）に示すように、品名「から揚げ」と異なる品名「熱燗日本酒」が手指ＦＧにより指定されて、一部指定を受けずに、図１０（ｂ）に示すように、品名「熱燗日本酒」に対しハジキ操作がなされると、図１０（ｃ）に示すように、ハジキ操作の対象となった品名「熱燗日本酒」が割勘エリアＡＲ１に割り当てられる。
【００４３】
ここで、例えば図１１（ａ）に示すように、品名「刺身盛り合わせ」に対し手指ＦＧにより指定操作がなされ、その後、図１１（ｂ）に示すように、その品名「刺身盛り合わせ」の一部（例えば「刺身」の部分）が指定された場合、ステップＳ１０８の処理において、第２受付部４６０は一部指定の操作を受け付けたと判断する（ステップＳ１０８：ＹＥＳ）。このような操作は、例えば品名「刺身盛り合わせ」を一人で食べずに複数人で分けて食べた場合に行われる。尚、一部指定の操作が可能な品名は複数人で分けて食べる商品に予め定められている。
【００４４】
次いで、第２表示部４７０は、ステップＳ１０９の指定範囲割合判別処理において指定範囲の割合を判別する。例えば、第２表示部４７０は、品名「刺身盛り合わせ」全文字に対し１／３程度の割合が指定された判断する。第２表示部４７０が指定範囲割合判別処理を実行して、後続のステップＳ１１０からステップＳ１１２までの処理を第２受付部４６０や第２表示部４７０が実行することで、図１１（ｃ）に示すように、一部指定された品名「刺身盛り合わせ」の一部「刺身」がハジキ操作の対象となって、図１１（ｄ）に示すように、割勘エリアＡＲ１に割り当てられる。この際、第２表示部４７０は、品名の一部「刺身」を表示せずに、全体の品名「刺身盛り合わせ」を表示するとともに、指定範囲割合判別処理で判別された割合を品名の脇に表示する。図１１（ｄ）では、割合「１／３」が表示され、注文者「Ａ」が品名「刺身盛り合わせ」の料金の１／３を負担することが示されている。尚、第２表示部４７０は割合に代えて負担金額を表示するようにしてもよい。
【００４５】
以上説明したように、品名全体に対してハジキ操作がなされたり、品名の一部に対しハジキ操作がなされたりすることで、割勘エリアＡＲ１には注文者が注文した商品だけでなく、複数人の注文者が分け合って食べた商品も表示される。割勘エリアＡＲ１に商品を割り当てた後、図１２（ａ）に示すように、割勘エリアＡＲ１の右下に表示されるボタン「計」が手指ＦＧにより指定されると、上述したように、第２受付部４６０は、計算を開始する操作を受け付けたと判断する（ステップＳ１１３：ＹＥＳ）。
【００４６】
第２受付部４６０が計算を開始する操作を受け付けたと判断した場合、第２表示部４７０は、合計金額を算出して会計テーブルに入力し（ステップＳ１１４）、投影部１００を通じて合計金額を表示する（ステップＳ１１５）。この結果、図１２（ｂ）に示すように、割勘エリアＡＲ１の右下には、ボタン「計」に代えて、合計金額が表示される。これにより、注文者「Ａ」は自身が支払う料金を把握することができる。また、注文リストＬＳには残りの商品とその合計金額が表示される。これにより、他の注文者「Ｂ」や「Ｃ」は、自分達が割り当てる商品や残金を把握することができる。
【００４７】
第２表示部４７０は、ステップＳ１１５の処理が完了すると、全員精算済みであるか否かを判断する（ステップＳ１１６）。当該判断は、例えば取得した人数の回数だけボタン「計」が選択されたか否かにより行われる。例えば、注文者が「Ａ」〜「Ｃ」の３名であり取得した人数が３人である場合に、注文者「Ｂ」が自身の割勘エリアでボタン「計」を指定し、注文者「Ｃ」が自身の割勘エリアでボタン「計」を指定していなければ、第２表示部４７０は、全員精算済みでないと判断する（ステップＳ１１６：ＮＯ）。この場合、注文者が交代し、次の注文者が指定操作やハジキ操作などを行うことにより、第２受付部４６０や第２表示部４７０は、ステップＳ１０７からステップＳ１１６の処理を繰り返す。
【００４８】
例えば、注文者「Ｂ」が注文者「Ｃ」に交代し、注文者「Ｃ」が、注文リストＬＳに示された品名に対し、指定操作やハジキ操作などを行う。指定操作やハジキ操作などが行われると、第２受付部４６０は指定操作やハジキ操作などを受け付け、第２表示部４７０は、割勘エリアＡＲ３に指定操作やハジキ操作の対象となった品名を表示する。これにより、図１３に示すように、注文リストＬＳの付近には、品名が割り当てられた注文者「Ａ」の割勘エリアＡＲ１だけでなく、品名が割り当てられた注文者「Ｂ」の割勘エリアＡＲ２及び注文者「Ｃ」の割勘エリアＡＲ３も表示される。
【００４９】
一方、注文者「Ａ」〜「Ｃ」全員がボタン「計」を指定した場合、第２表示部４７０は、全員精算済みであると判断する（ステップＳ１１６：ＹＥＳ）。この場合、第２表示部４７０は、注文リストＬＳの表示を停止した後、精算確認処理を実行し（ステップＳ１１７）、処理を終了する。尚、精算確認処理は割り勘が適切に行われたか否かを確認するための処理である。精算確認処理の詳細は後述する。
【００５０】
次に、図１４を参照して、図７のステップＳ１０９に示す指定範囲割合判別処理の詳細について説明する。
【００５１】
図１４（ａ）は、指定範囲割合判別処理の一例を示すフローチャートである。図１４（ｂ）は、指定範囲割合判別処理の別の一例を示すフローチャートである。図１４（ａ）に示すフローチャートは、例えば２〜３名で一部指定の操作が行われる場合に使用される。図１４（ｂ）に示すフローチャートは、例えば４名以上で一部指定の操作が行われる場合に使用される。尚、図１４（ｂ）に示すフローチャートの処理が実行される場合、上述したステップＳ１０８の処理は省略される。
【００５２】
まず、図１４（ａ）に示すように、上述したステップＳ１０８の処理において、第２受付部４６０が一部指定の操作を受け付けると、第２表示部４７０は、注文品名全体に対する指定範囲の大きさを判別する（ステップＳ２０１）。例えば、品名「刺身盛り合わせ」に対し「刺身」の部分が指定された場合、７文字に対して２文字分が指定されているため、２を７で割り四捨五入することにより指定範囲の大きさが「０．２９」であると判別する。
【００５３】
次に、第２表示部４７０は、判別した大きさを整数値化する（ステップＳ２０２）。具体的には、注文者の人数が２〜３名である場合、品名に対する一部指定は、１／２又は１／３であるため、判別した大きさが予め定めた値「０．３３」より小さければ、一部指定の分割数を「３」であると判断する。逆に、判別した大きさが予め定めた値「０．５」より大きければ、一部指定の分割数を「２」であると判断する。例えば判別した大きさが値「０．３３」と値「０．５」との間に属する場合、差分の絶対値が小さい方の一部指定に属すると判断する。具体的には、判別した大きさが「０．４」である場合、一部指定の分割数を「３」であると判断する。
【００５４】
ステップＳ２０２の処理が完了すると、第２表示部４７０は注文品名の一人当たりの金額を算出する（ステップＳ２０３）。例えば、ステップＳ２０２の処理において第２表示部４７０が分割数を「３」と判断した場合、品名「刺身盛り合わせ」の金額が「１２７８」円（図５（ａ）参照）であれば、当該金額を分割数「３」で割って「４８２」円（図５（ｂ）参照）を算出する。第２表示部４７０は、ステップＳ２０３の処理を終えると、上述したステップＳ１１０以降の処理が開始される。
【００５５】
一方、注文者の人数が４名以上である場合、品名に対する一部指定は、１／４以下になるため、判別した大きさが「０．２５」以下になる。この場合、注文者は正確に一部指定を行えない可能性が高くなる。したがって、指定範囲の大きさを判別して分割数を求めるのではなく、注文者に事前に分数人数を入力させることにより分割数の精度を高める。具体的には、取得部４４０が取得した人数が４人以上である場合、第２表示部４７０は投影面１０に分割人数の入力を求める入力画面を表示する。ここで、注文者の１人が入力画面で分割人数を手指ＦＧにより提示した場合、第２受付部４６０は分割人数の入力を受け付ける（ステップＳ３０１）。
【００５６】
ステップＳ３０１の処理が完了すると、次いで、第２受付部４６０は、注文品名を指定する操作を受け付ける（ステップＳ３０２）。したがって、注文者の人数が４名以上である場合、上述したステップＳ１０７の処理で指定操作を受け付けた後、ステップＳ１０８の処理で判断される一部指定の操作がなされずに、再び、注文品名を指定する操作を受け付けることになる。
【００５７】
第２表示部４７０は、ステップＳ３０２の処理において注文品名を指定する操作を受け付けると、注文品名の一人当たりの金額を算出する（ステップＳ３０３）。この場合、ステップＳ３０１の処理で第２受付部４６０が受け付けた分割人数を利用して、第２表示部４７０は注文品名の一人当たりの金額を算出する。例えば、取得部４４０が取得した人数が６人である場合、品名「刺身盛り合わせ」の金額が「１２７８」円であれば、当該金額を分割人数「６」で割って「２１３」円を算出する。第２表示部４７０は、ステップＳ３０３の処理を終えると、上述したステップＳ１１０以降の処理が開始される。
【００５８】
次に、図１５を参照して、図７のステップＳ１１１に示す品名・金額入力処理の詳細について説明する。
【００５９】
図１５は、品名・金額入力処理の一例を示すフローチャートである。図１５に示すように、まず、第２表示部４７０は、ハジキ操作を行った注文者を特定する（ステップＳ４０１）。例えば、ハジキ操作の対象となった品名がどの注文者の割勘エリアに対して割り当てられたのかを第１撮像部２００及び第２撮像部３００を通じて第２受付部４６０が受け付けることにより、第２表示部４７０は注文者を特定する。ステップＳ４０１の処理が完了すると、次いで、第２表示部４７０は、ハジキ操作により指定された品名と特定した注文者の会計テーブルを確認し（ステップＳ４０２）、特定した注文者の会計テーブルに、ハジキ操作により指定された品名と同一の品名があるか否かを判断する（ステップＳ４０３）。
【００６０】
第２表示部４７０は、同一の品名がないと判断した場合（ステップＳ４０３：ＮＯ）、会計テーブルに品名を追加し（ステップＳ４０４）、同一の品名があると判断した場合（ステップＳ４０３：ＹＥＳ）、ステップＳ４０４の処理をスキップする。
【００６１】
第２表示部４７０は、ステップＳ４０３又はＳ４０４の処理を終えると、次いで、品名に対応する金額をメニューテーブル記憶部４１０から取得し（ステップＳ４０５）、取得した金額を会計テーブルの該当覧に入力する（ステップＳ４０６）。これにより、ハジキ操作がなされて割勘エリアに品名が割り当てられる度に、会計テーブルの注文品名には、ハジキ操作の対象となった品名が入力され、その品名の金額が対応する金額覧に入力される。
【００６２】
次に、図１６を参照して、図７のステップＳ１１７に示す精算確認処理の詳細について説明する。
【００６３】
図１６は、精算確認処理の一例を示すフローチャートである。図７のステップＳ１１６の処理において、第２表示部４７０が全員精算済みであると判断した場合、図１６に示すように、第２表示部４７０は未精算があるか否かを判断する（ステップＳ５０１）。より詳しくは、第２表示部４７０が全員精算済みであると判断した場合、第２表示部４７０は注文リストＬＳの表示を停止するため、注文リストＬＳに示されたすべての商品が割勘エリアＡＲ１〜ＡＲ３に割り当てられたのか不明である。このため、注文品情報に含まれる合計金額と各注文者の会計テーブル４０に含まれる合計金額の総和とを比較し、合計金額と総和との差がなければ、第２表示部４７０は未精算がないと判断する（ステップＳ５０１：ＮＯ）。この場合、処理を終了する。
【００６４】
一方、合計金額と総和との差があれば、第２表示部４７０は未精算があると判断する（ステップＳ５０１：ＹＥＳ）。この場合、第２表示部４７０は注文品情報に含まれる全ての注文品名から、指定した全ての注文品名を差し引き（ステップＳ５０２）、残りの注文品名を表示する（ステップＳ５０３）。尚、第２表示部４７０は同一の注文品名が複数注文されている場合、別々に計数する。例えば、ビールが５本注文されている場合、全ての注文品名は１本のピールではなく、５本のビールになる。ステップＳ５０３の処理が完了すると、第２受付部４６０は図７のステップＳ１０７の処理に移行する。
【００６５】
このように、残りの注文品名が投影面１０に表示されることで、注文者「Ａ」〜「Ｃ」は、未精算の注文品を確認することができる。そして、未精算の注文品の該当者は、表示された残りの注文品に対し指定操作を行って、ハジキ操作により自身の割勘エリアに割り当てることで、未精算の注文品をなくすことができる。
【００６６】
以上説明したように、会計支援装置４００は、注文品情報の入力を受け付け、注文品の注文者の人数を取得する。また、会計支援装置４００は、受け付けた注文品情報に基づいて得られる品名が示された注文リストと、取得した注文者の人数分の割勘エリアとを表示する。そして、会計支援装置４００は、注文リストから品名を指定する指定操作と、指定操作により指定された品名を割勘エリアのいずれかに割り当てるハジキ操作を受け付け、ハジキ操作により品名が割り当てられた割勘エリアのそれぞれに、割り当てられた品名と、割り当てられた品名に応じた金額の合計値とを表示する。このように、第１実施形態によれば、複数人による支払いを支援することができる。特に、請求額を各自の注文品に応じて分割して支払う場合に速やかに割り勘を行うことができる。
【００６７】
（第２実施形態）
続いて、図１７乃至図１９を参照して、本件の第２実施形態について説明する。第２実施形態は、投影部１００、第１撮像部２００及び第２撮像部３００を利用せずに、タブレット端末６００を利用する点で、上述した第１実施形態と相違する。一方、タブレット端末６００の動作は、基本的に第１実施形態で説明した会計支援装置４００の動作と同様である。
【００６８】
図１７は、タブレット端末６００とタブレット端末６００に対する操作の一例を説明するための図である。図１８及び図１９は、タブレット端末６００に対する操作の他の一例を説明するための図である。
【００６９】
図１７（ａ）に示すように、タブレット端末６００は、静脈認証センサ６１０、表示部６２０及びタッチパネル６３０を有している。また、タブレット端末６００は、内部に第１実施形態で説明した会計支援装置４００と同様のハードウェア構成及び同様の機能を搭載している。したがって、タブレット端末６００は、例えばネットワークを通じて注文品情報の入力を受け付けることで、図１７（ａ）に示すように、表示部６２０は注文リストＬＳを表示する。
【００７０】
ここで、図１７（ｂ）に示すように、静脈認証センサ６１０に注文者が手のひらをかざすと、静脈認証センサ６１０は静脈の特徴を表す特徴情報を抽出し、識別情報を生成して保持する。保持した識別情報が注文者ＩＤになる。静脈認証センサ６１０の上で異なる注文者の手がかざされる度に静脈認証センサ６１０は異なる識別情報を生成して保持する。このため、タブレット端末６００は静脈認証センサ６１０が保持する識別情報の数を注文者の人数として識別情報とともに取得する。
【００７１】
その後、図１７（ｃ）に示すように、表示部６２０に表示された注文リストＬＳの右下に現れるボタン「割」がタッチパネル６３０を介して押下されると、図１７（ｄ）に示すように、表示部６２０は、取得した人数分の割勘エリアＡＲ４，ＡＲ５，ＡＲ６を表示する。表示部６２０は、割勘エリアＡＲ４，ＡＲ５，ＡＲ６を注文リストＬＳと同じ画面上に表示してもよいし、注文リストＬＳと異なる別画面上に表示してもよい。図１７（ｄ）では別画面に表示させる場合を示している。以後も別画面として説明する。別画面上に表示する場合には、注文リストＬＳにおける文字部分以外の画面をスライドさせる（スワイプする）ことにより、表示部６２０は、割勘エリアＡＲ４，ＡＲ５，ＡＲ６を表示する。例えば、上方向にスライドして割勘エリアＡＲ４を表示し、下方向にスライドして割勘エリアＡＲ６を表示してもよい。割勘エリアＡＲ４，ＡＲ５，ＡＲ６の文字部分以外の画面をスライドすれば、表示部６２０は注文リストＬＳを表示する。
【００７２】
次に、図１８（ａ）に示すように、注文者「Ａ」が注文リストＬＳに示された品名（例えば「から揚げ」）を手指ＦＧでスライドする（フリックする又はなぞる）と、図１８（ｂ）に示すように、最初に静脈認証を行った注文者の割勘エリアＡＲ４に、スライドした品名が割り当てられる。同様に、注文者「Ａ」が品名を次々とスライドすると、図１９（ａ）に示すように、スライドした商品が次々と割勘エリアＡＲ４に割り当てられる。ここで、品名「刺身盛り合わせ」については、はじめに品名全体を手指ＦＧでなぞり、次に、その品名に対し自分で支払う範囲を手指ＦＧでなぞる。これにより、タブレット端末６００は、文字全体に対して手指ＦＧの移動距離分を判別し、その品名の分割割合を決定する。例えば品名「刺身盛り合わせ」に対し「刺身」部分がなぞられた場合、タブレット端末６００は手指ＦＧの移動距離に従って分割割合「１／３」を決定し、決定した分割割合を表示する。これにより、代金の１／３を注文者「Ａ」が負担することが決定される。尚、分割割合に代えて負担金額を表示するようにしてもよい。
【００７３】
ここで、図１９（ａ）に示すように、割勘エリアＡＲ４の右下に示されたボタン「計」が指定（例えばタップ）されると、図１９（ｂ）に示すように、表示部６２０は、合計金額を表示する。また、表示部６２０は、注文リストＬＳに残りの品名と残金を表示する。これにより、注文者「Ａ」は自身が負担する金額を確認することができる。その後、残りの品名に対し次の注文者（例えば注文者「Ｂ」）がスライドすると、２番目に静脈認証を行った注文者（注文者「Ｂ」）の割勘エリアＡＲ５に品名が割り当てられる。割勘エリアＡＲ５の右下に示されたボタン「計」が指定されると、表示部６２０は、合計金額を表示し、注文リストＬＳに残りの品名と残金を表示する。以後の処理も同様である。このように、第２実施形態によれば、タブレット端末６００であっても、複数人による支払いを支援することができる。特に、請求額を各自の注文品に応じて分割して支払う場合に速やかに割り勘を行うことができる。
【００７４】
（第３実施形態）
続いて、図２０乃至図２３を参照して、本件の第３実施形態について説明する。第３実施形態は、投影部１００、第１撮像部２００及び第２撮像部３００やタブレット端末６００を利用せずに、Point of Sales（ＰＯＳ）端末７００を利用する点で、上述した第１実施形態及び第２実施形態と相違する。一方、ＰＯＳ端末７００の動作は、基本的に第１実施形態で説明した会計支援装置４００の動作と同様である。
【００７５】
図２０は、ＰＯＳ端末７００とＰＯＳ端末７００に対する操作の一例を説明するための図である。図２１乃至図２３は、ＰＯＳ端末７００に対する操作の他の一例を説明するための図である。
【００７６】
図２０（ａ）に示すように、ＰＯＳ端末７００は、静脈認証センサ７１０、ハンディスキャナ７２０、表示部７３０、タッチパネル７４０及び操作キー７５０を有している。また、ＰＯＳ端末７００は、内部に第１実施形態で説明した会計支援装置４００と同様のハードウェア構成及び同様の機能を搭載している。ＰＯＳ端末７００は、図２０（ｂ）に示すように、例えば会計伝票５０に記載された注文の内容を表すバーコードをハンディスキャナ７２０で読み取り、読取結果の入力を注文品情報の入力として受け付けることで、表示部７３０は注文リストを表示する。
【００７７】
ここで、静脈認証センサ７１０に注文者が手のひらをかざすと、静脈認証センサ７１０は静脈の特徴を表す特徴情報を抽出し、識別情報を生成して保持する。保持した識別情報が注文者ＩＤになる。静脈認証センサ７１０の上で異なる注文者の手がかざされる度に静脈認証センサ７１０は異なる識別情報を生成して保持する。このため、ＰＯＳ端末７００は静脈認証センサ７１０が保持する識別情報の数を注文者の人数として識別情報とともに取得する。その後、表示部７３０に表示された注文リストの右下に現れるボタン「割」がタッチパネル７４０を介して押下されると、図２０（ｃ）に示すように、表示部７３０は、取得した人数分の割勘エリアＡＲ７，ＡＲ８，ＡＲ９を表示する。
【００７８】
次に、図２１（ａ）に示すように、注文者「Ａ」が会計伝票５０に示された品名（例えば「から揚げ」）を表すバーコードをハンディスキャナ７２０で読み取ると、図２１（ｂ）に示すように、最初に静脈認証を行った注文者の割勘エリアＡＲ７に、読み取った品名が割り当てられる。同様に、注文者「Ａ」が品名を順次ハンディスキャナ７２０で読み取ると、図２２（ａ）に示すように、読み取った品名が割勘エリアＡＲ７に割り当てられる。ここで、品名「刺身盛り合わせ」については、その品名を表すバーコードをハンディスキャナ７２０で読み取ると、割勘エリアＡＲ７には当該品名とともに按分を表すボタン「按」が表示される。注文者「Ａ」が当該ボタンを押下すると、図２２（ｂ）に示すように、表示部７３０は、按分数の入力を求める入力画面６０を表示する。注文者「Ａ」は操作キー７５０を利用して按分数（例えば「３」など）を入力することで、表示部７３０は、割勘エリアＡＲ７からボタン「按」を消去し、当該部分に按分数の逆数（例えば「１／３」）を表示する。これにより、品名「刺身盛り合わせ」に対し代金の１／３を注文者「Ａ」が負担すると決定される。尚、表示部７３０は按分数の逆数に代えて負担金額を表示するようにしてもよい。
【００７９】
ここで、図２３（ａ）に示すように、割勘エリアＡＲ７の右下に示されたボタン「計」が押下されると、図２３（ｂ）に示すように、表示部７３０は、合計金額を表示する。これにより、注文者「Ａ」は自身が負担する金額を確認することができる。その後、会計伝票５０に対し次の注文者（例えば注文者「Ｂ」）がハンディスキャナ７２０で読み取ると、２番目に静脈認証を行った注文者（注文者「Ｂ」）の割勘エリアＡＲ８に品名が割り当てられる。割勘エリアＡＲ８の右下に示されたボタン「計」が指定されると、表示部６２０は、合計金額を表示する。以後の処理も同様である。このように、第３実施形態によれば、ＰＯＳ端末７００であっても、複数人による支払いを支援することができる。特に、請求額を各自の注文品に応じて分割して支払う場合に速やかに割り勘を行うことができる。
【００８０】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、上述した第１実施形態乃至第３実施形態において、ハジキ操作により品名が割り当てられた割勘エリアのそれぞれに、割り当てられた品名と、割り当てられた品名に応じた金額の合計値とを表示させたが、割り当てられた品名と、割り当てられた品名に応じた金額の合計値と、の少なくともいずれかを表示させるようにしてもよい。
【００８１】
また、例えば、上述した第１実施形態では、注文リストＬＳから割勘エリアＡＲ１〜ＡＲ３への品名の割り当てを説明したが、例えば、割勘エリアＡＲ１〜ＡＲ３のいずれかに割り当てられた品名を注文リストＬＳや割勘エリアＡＲ１〜ＡＲ３の別のいずれかに移動する第３の操作を第２受付部４６０が受け付けるようにしてもよい。第２受付部４６０が第３の操作を受け付けた場合、第２表示部４７０は、移動対象となった品名を割勘エリアＡＲ１〜ＡＲ３のいずれかから注文リストＬＳ又は割勘エリアＡＲ１〜ＡＲ３の別のいずれかに表示する。これにより、割勘エリアＡＲ１〜ＡＲ３への割当誤りがあったり、注文者同士の話合いなどにより一部の商品について自身が負担することとなった場合、その品名を注文リストＬＳに戻したり、自身の割勘エリアＡＲ１〜ＡＲ３のいずれかに移動させたりすることができる。第２実施形態についても同様である。
【００８２】
また、上述した第１実施形態及び第２実施形態では、一部指定の操作について説明したが、例えば一部指定の操作に代えて、一部指定の対象となる品名全体を分割数だけハジキ操作を行ったり、なぞったりするようにしてもよい。このような操作を第２受付部４６０が受け付けることによっても第２表示部４７０は適切な割合を判別することができる。さらに、注文者が予め会計支援装置４００、タブレット端末６００又はＰＯＳ端末７００に支払可能な金額を設定しておき、ボタン「計」が押下された後に表示される合計金額が設定した金額を上回っていた場合、第２表示部４７０が設定金額超過を表す警告を表示するようにしてもよい。
【００８３】
なお、以上の説明に関して更に以下の付記を開示する。
（付記１）注文品に関する情報の入力を受け付け、前記注文品の注文者の人数を取得し、受け付けた前記情報に基づいて得られる品名が示されたリストと、取得した前記注文者の人数分の領域とを表示し、前記リストから品名を指定する第１の操作と、前記第１の操作により指定された品名を前記領域のいずれかに割り当てる第２の操作を受け付け、前記第２の操作により品名が割り当てられた領域のそれぞれに、割り当てられた品名と、割り当てられた品名に応じた金額の合計値と、の少なくともいずれかを表示する、処理をコンピュータが実行する会計支援方法。
（付記２）前記注文者の人数分の領域の内、少なくとも２つ以上の領域を同時に表示する、付記１に記載の会計支援方法。
（付記３）撮像装置により撮像された特定範囲の撮像画像を取得し、取得した前記撮像画像を解析して、前記特定範囲に含まれる人物の人数を特定し、特定した前記人物の人数を、前記注文者の人数に設定する、付記１又は２に記載の会計支援方法。
（付記４）投影装置により前記リストと前記領域を投影する、付記１から３のいずれか１項に記載の会計支援方法。
（付記５）前記品名を含む領域に対する指定範囲の割合に基づき、前記注文者のいずれかに割り当てる金額を決定し、決定した前記金額を、前記指定範囲を指定した注文者の領域に前記第２の操作により表示する、付記１から４のいずれか１項に記載の会計支援方法。
（付記６）前記領域に表示された品名を、前記リスト又は別の領域に移動する第３の操作を受け付ける、付記１から５のいずれか１項に記載の会計支援方法。
（付記７）注文品に関する情報の入力を受け付け、前記注文品の注文者の人数を取得し、受け付けた前記情報に基づいて得られる品名が示されたリストと、取得した前記注文者の人数分の領域とを表示し、前記リストから品名を指定する第１の操作と、前記第１の操作により指定された品名を前記領域のいずれかに割り当てる第２の操作を受け付け、前記第２の操作により品名が割り当てられた領域のそれぞれに、割り当てられた品名と、割り当てられた品名に応じた金額の合計値と、の少なくともいずれかを表示する、処理をコンピュータに実行させる会計支援プログラム。
（付記８）注文品に関する情報の入力を受け付ける第１受付部と、前記注文品の注文者の人数を取得する取得部と、受け付けた前記情報に基づいて得られる品名が示されたリストと、取得した前記注文者の人数分の領域と、を表示する第１表示部と、前記リストから品名を指定する第１の操作と、前記第１の操作により指定された品名を前記領域のいずれかに割り当てる第２の操作とを受け付ける第２受付部と、前記第２の操作により品名が割り当てられた領域のそれぞれに、割り当てられた品名と、割り当てられた品名に応じた金額の合計値と、の少なくともいずれかを表示する第２表示部と、を備える会計支援装置。
（付記９）前記第１表示部は、前記注文者の人数分の領域の内、少なくとも２つ以上の領域を同時に表示する、付記８に記載の会計支援装置。
（付記１０）前記第１受付部は、撮像装置により撮像された特定範囲の撮像画像を取得し、取得した前記撮像画像を解析して、前記特定範囲に含まれる人物の人数を特定し、特定した前記人物の人数を、前記注文者の人数に設定する、付記８又は９に記載の会計支援装置。
（付記１１）投影装置により前記リストと前記領域を投影する、付記８から１０のいずれか１項に記載の会計支援装置。
（付記１２）前記第２表示部は、前記品名を含む領域に対する指定範囲の割合に基づき、前記注文者のいずれかに割り当てる金額を決定し、決定した前記金額を、前記指定範囲を指定した注文者の領域に前記第２の操作により表示する、付記８から１１のいずれか１項に記載の会計支援装置。
（付記１３）前記第２受付部は、前記領域に表示された品名を、前記リスト又は別の領域に移動する第３の操作を受け付ける、付記８から１２のいずれか１項に記載の会計支援装置。
【符号の説明】
【００８４】
Ｓ  会計支援システム
１００  投影部
２００  第１撮像部
３００  第２撮像部
４００  会計支援装置
４１０  メニューテーブル記憶部
４２０  会計テーブル記憶部
４３０  第１受付部
４４０  取得部
４５０  第１表示部
４６０  第２受付部
４７０  第２表示部
５００  静脈認証センサ
６００  タブレット端末
７００  ＰＯＳ端末
【図１】
2016164749.tif 000003
【図２】
2016164749.tif 000004
【図３】
2016164749.tif 000005
【図４】
2016164749.tif 000006
【図５】
2016164749.tif 000007
【図６】
2016164749.tif 000008
【図７】
2016164749.tif 000009
【図８】
2016164749.tif 000010
【図９】
2016164749.tif 000011
【図１０】
2016164749.tif 000012
【図１１】
2016164749.tif 000013
【図１２】
2016164749.tif 000014
【図１３】
2016164749.tif 000015
【図１４】
2016164749.tif 000016
【図１５】
2016164749.tif 000017
【図１６】
2016164749.tif 000018
【図１７】
2016164749.tif 000019
【図１８】
2016164749.tif 000020
【図１９】
2016164749.tif 000021
【図２０】
2016164749.tif 000022
【図２１】
2016164749.tif 000023
【図２２】
2016164749.tif 000024
【図２３】
2016164749.tif 000025